(57)【要約】【課題】機器が配置される地域とサーバが配置される地域とに時差があるなどして、機器が使用する時間基準とサーバが使用する時間基準とが異なる場合、サーバから機器に供給された時刻情報が、機器が使用する時間基準に対してずれたものとなる。【解決手段】この時刻情報供給システムは、携帯電話機などの端末装置で設定された時刻情報が管理サーバ（サーバ）を介して空気調和機（機器）に供給されるものである。この時刻情報供給システムでは、空気調和機が使用する時間基準と管理サーバが使用する時間基準とが異なる場合に、管理サーバから空気調和機に供給される前または供給された後の時刻情報が、管理サーバが使用する時間基準に基づく時刻情報から空気調和機が使用する時間基準に基づく時刻情報に変換される（Ｓ４）。【選択図】図２
2015141509.tif 000002
【特許請求の範囲】
【請求項１】
端末装置で設定された時刻情報がサーバを介して機器に供給される時刻情報供給システムであって、
前記機器が使用する第１時間基準と前記サーバが使用する第２時間基準とが異なる場合に、前記サーバから前記機器に供給される前または供給された後の時刻情報が、前記第２時間基準に基づく時刻情報から前記第１時間基準に基づく時刻情報に変換されることを特徴とする時刻情報供給システム。
【請求項２】
前記端末装置が使用する第３時間基準と前記サーバが使用する第２時間基準とが異なる場合に、前記端末装置から前記サーバに供給される前または供給された後の時刻情報が、前記第３時間基準に基づく時刻情報から前記第２時間基準に基づく時刻情報に変換されることを特徴とする請求項１に記載の時刻情報供給システム。
【請求項３】
前記第３時間基準と前記第２時間基準との時間差分には、サマータイムの有無により生じる時間差分が含まれることを特徴とする請求項２に記載の時刻情報供給システム。
【請求項４】
前記第１時間基準と前記第２時間基準との時間差分には、サマータイムの有無により生じる時間差分が含まれることを特徴とする請求項１−３のいずれかに記載の時刻情報供給システム。
【請求項５】
前記端末装置で設定された時刻情報が、機器のタイマ設定時刻についての時刻情報であることを特徴とする請求項１−４のいずれかに記載の時刻情報供給システム。
【請求項６】
前記機器が、前記第２時間基準から前記第１時間基準に変換された時刻情報に基づいて制御されることを特徴とする請求項１−５のいずれかに記載の時刻情報供給システム。
【発明の詳細な説明】
【技術分野】
【０００１】
本発明は、例えば携帯電話機などの端末装置で設定された時刻情報がサーバを介して機器に供給される時刻情報供給システムに関する。
【背景技術】
【０００２】
例えば特許文献１には、端末装置と、サーバ（サービス機器）と、家電品および通信アダプタを有する機器とを備え、端末装置で設定された機器（家電品）の操作指示情報がサーバを介して機器に供給される情報供給システムが記載されている。
【先行技術文献】
【特許文献】
【０００３】
【特許文献１】特開２００９−２３９９２２号公報
【発明の概要】
【発明が解決しようとする課題】
【０００４】
上記のような情報供給システムでは、例えば端末装置で設定された時刻情報（例えばタイマ設定時刻）がサーバを介して機器に供給される場合が考えられるが、機器が配置される地域とサーバが配置される地域とに時差があるなどして、機器が使用する時間基準とサーバが使用する時間基準とが異なる場合、サーバから機器に供給された時刻情報が、サーバが使用する時間基準と機器が使用する時間基準との時間差分だけ、機器が使用する時間基準に対してずれたものとなる。その結果、例えばサーバから空気調和機（機器）に供給された時刻情報（例えば入タイマの設定時刻）に基づいて空気調和機が制御される場合、ユーザが空気調和機の運転を開始したい時刻とは異なる時刻に空気調和機の運転が開始されてしまう問題がある。
【０００５】
そこで、本発明の目的は、サーバから機器に供給された時刻情報が、機器が使用する時間基準に対してずれたものとなるのを防止できる時刻情報供給システムを提供することである。
【課題を解決するための手段】
【０００６】
第１の発明にかかる時刻情報供給システムは、端末装置で設定された時刻情報がサーバを介して機器に供給される時刻情報供給システムであって、前記機器が使用する第１時間基準と前記サーバが使用する第２時間基準とが異なる場合に、前記サーバから前記機器に供給される前または供給された後の時刻情報が、前記第２時間基準に基づく時刻情報から前記第１時間基準に基づく時刻情報に変換されることを特徴とする。
【０００７】
この時刻情報供給システムでは、機器が使用する時間基準とサーバが使用する時間基準とが異なる場合に、サーバから機器に供給される前または供給された後の時刻情報が、サーバが使用する時間基準に基づく時刻情報から機器が使用する時間基準に基づく時刻情報に変換されるので、サーバから機器に供給された時刻情報が、機器が使用する時間基準に対してずれたものとなるのを防止できる。
【０００８】
第２の発明にかかる時刻情報供給システムは、第１の発明にかかる時刻情報供給システムにおいて、前記端末装置が使用する第３時間基準と前記サーバが使用する第２時間基準とが異なる場合に、前記端末装置から前記サーバに供給される前または供給された後の時刻情報が、前記第３時間基準に基づく時刻情報から前記第２時間基準に基づく時刻情報に変換されることを特徴とする。
【０００９】
この時刻情報供給システムでは、端末装置が使用する時間基準とサーバが使用する時間基準とが異なる場合に、端末装置からサーバに供給される前または供給された後の時刻情報が、端末装置が使用する時間基準に基づく時刻情報からサーバが使用する時間基準に基づく時刻情報に変換されるので、端末装置からサーバに供給された時刻情報が、サーバが使用する時間基準に対してずれたものとなるのを防止できる。
したがって、例えばサーバから機器に供給された時刻情報に基づいて機器が制御される場合において、端末装置で設定された時刻とは異なるタイミングで機器が制御されることを防止できる。  
【００１０】
第３の発明にかかる時刻情報供給システムは、第２の発明にかかる時刻情報供給システムにおいて、前記第３時間基準と前記第２時間基準との時間差分には、サマータイムの有無により生じる時間差分が含まれることを特徴とする。
【００１１】
この時刻情報供給システムでは、端末装置が使用する時間基準とサーバが使用する時間基準との時間差分には、サマータイムの有無により生じる時間差分が含まれるので、端末装置からサーバに供給された時刻情報が、サマータイムの有無により生じる時間差分だけサーバが使用する時間基準に対してずれたものとなるのを防止できる。
【００１２】
第４の発明にかかる時刻情報供給システムは、第１−第３のいずれかの発明にかかる時刻情報供給システムにおいて、前記第１時間基準と前記第２時間基準との時間差分には、サマータイムの有無により生じる時間差分が含まれることを特徴とする。
【００１３】
この時刻情報供給システムでは、機器が使用する時間基準とサーバが使用する時間基準との時間差分には、サマータイムの有無により生じる時間差分が含まれるので、サーバから機器に供給された時刻情報が、サマータイムの有無により生じる時間差分だけ機器が使用する時間基準に対してずれたものとなるのを防止できる。
【００１４】
第５の発明にかかる時刻情報供給システムは、第１−第４のいずれかの発明にかかる時刻情報供給システムにおいて、前記端末装置で設定された時刻情報が、機器のタイマ設定時刻についての時刻情報であることを特徴とする。
【００１５】
この時刻情報供給システムでは、端末装置で設定された時刻情報が、機器のタイマ設定時刻についての時刻情報である場合において、サーバから機器に供給される時刻情報が、機器が使用する時間基準に対してずれたものとなるのを防止できる。
【００１６】
第６の発明にかかる時刻情報供給システムは、第１−第５のいずれかの発明にかかる時刻情報供給システムにおいて、前記機器が、前記第２時間基準から前記第１時間基準に変換された時刻情報に基づいて制御されることを特徴とする。
【００１７】
この時刻情報供給システムでは、サーバが使用する時間基準から機器が使用する時間基準に変換された時刻情報に基づいて機器が制御されるので、機器が使用する時間基準に対してずれた時刻情報に基づいて機器が制御されるのを防止できる。
【発明の効果】
【００１８】
以上の説明に述べたように、本発明によれば、以下の効果が得られる。
【００１９】
第１の発明では、機器が使用する時間基準とサーバが使用する時間基準とが異なる場合に、サーバから機器に供給される前または供給された後の時刻情報が、サーバが使用する時間基準に基づく時刻情報から機器が使用する時間基準に基づく時刻情報に変換されるので、サーバから機器に供給された時刻情報が、機器が使用する時間基準に対してずれたものとなるのを防止できる。
【００２０】
第２の発明では、端末装置が使用する時間基準とサーバが使用する時間基準とが異なる場合に、端末装置からサーバに供給される前または供給された後の時刻情報が、端末装置が使用する時間基準に基づく時刻情報からサーバが使用する時間基準に基づく時刻情報に変換されるので、端末装置からサーバに供給された時刻情報が、サーバが使用する時間基準に対してずれたものとなるのを防止できる。
したがって、例えばサーバから機器に供給された時刻情報に基づいて機器が制御される場合において、端末装置で設定された時刻とは異なるタイミングで機器が制御されることを防止できる。
【００２１】
第３の発明では、端末装置が使用する時間基準とサーバが使用する時間基準との時間差分には、サマータイムの有無により生じる時間差分が含まれるので、端末装置からサーバに供給される時刻情報が、サマータイムの有無により生じる時間差分だけサーバが使用する時間基準に対してずれたものとなるのを防止できる。
【００２２】
第４の発明では、機器が使用する時間基準とサーバが使用する時間基準との時間差分には、サマータイムの有無により生じる時間差分が含まれるので、サーバから機器に供給された時刻情報が、サマータイムの有無により生じる時間差分だけ機器が使用する時間基準に対してずれたものとなるのを防止できる。
【００２３】
第５の発明では、端末装置で設定された時刻情報が、機器のタイマ設定時刻についての時刻情報である場合において、サーバから機器に供給された時刻情報が、機器が使用する時間基準に対してずれたものとなるのを防止できる。
【００２４】
第６の発明では、サーバが使用する時間基準から機器が使用する時間基準に変換された時刻情報に基づいて機器が制御されるので、機器が使用する時間基準に対してずれた時刻情報に基づいて機器が制御されるのを防止できる。
【図面の簡単な説明】
【００２５】
【図１】本発明の実施形態に係る時刻情報供給システムの構成を示す図である。
【図２】図１に示す時刻情報供給システムの時刻情報供給動作を示すフローチャートである。
【図３】図１に示す時刻情報供給システムの時刻情報供給動作の一実施例を示す概略図である。
【図４】本発明の変形例に係る時刻情報供給システムの構成を示す図である。
【図５】図４に示す時刻情報供給システムの時刻情報供給動作の一実施例を示す概略図である。
【発明を実施するための形態】
【００２６】
以下、本発明の実施形態に係る時刻情報供給システムについて説明する。    
【００２７】
［時刻情報供給システムの全体構成］
図１に示すように、本発明の実施形態に係る時刻情報供給システム１は、空気調和機２（機器）と、管理サーバ３（サーバ）と、管理サーバ３との間で情報の通信を行う端末装置４とを備えている。
【００２８】
［空気調和機］
空気調和機２は、室外に設置される図示しない室外機と、室内に設置される室内機２ａと、室内機２ａに接続され管理サーバ３との間で情報の通信を行う通信アダプタ２ｂとを有している。この空気調和機２は、自動運転、冷房運転、暖房運転、除湿運転、加湿運転、空気清浄運転及び送風運転のいずれかの運転が可能であって、リモコンや端末装置４によって、いずれかの運転を選択して運転開始操作や運転停止操作を行ったり、室内温度の設定温度を設定することができる。なお、本実施形態では、空気調和機２が、本発明における機器に対応する。
【００２９】
室内機２ａは、制御部を有しており、制御部には、室内機２ａ（空気調和機２）に係る各種動作の制御プログラムやデータなどが格納されたＲＯＭ、室内機２ａ（空気調和機２）の各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、図１に示すように、タイマ制御部２１が形成されている。
【００３０】
タイマ制御部２１は、例えばリモコンや端末装置４から供給されたタイマ設定時刻についての時刻情報に基づいて室内機２ａ（空気調和機２）を制御する。例えば、リモコンや端末装置４で入タイマが設定された場合、タイマ制御部２１は、現在時刻がタイマ設定時刻になったときに室内機２ａ（空気調和機２）の運転を開始する。また例えば、リモコンや端末装置４で切タイマが設定された場合、タイマ制御部２１は、現在時刻がタイマ設定時刻になったときに室内機２ａ（空気調和機２）の運転を停止する。
【００３１】
ところで、この空気調和機２は、時間基準として所定の第１時間基準を使用している。この第１時間基準は、空気調和機２が配置される地域の時間基準と一致する。例えば、空気調和機２が日本に配置される場合、空気調和機２が使用する第１時間基準は、日本標準時（協定世界時（ＵＴＣ）より９時間進んだ時間基準（ＵＴＣ＋９））である。したがって、例えば、リモコンや端末装置４で入タイマが設定された場合、タイマ制御部２１は、日本標準時における時刻がタイマ設定時刻になったときに室内機２ａ（空気調和機２）の運転を開始する。
【００３２】
通信アダプタ２ｂは、室内機２ａおよび管理サーバ３との間で情報の通信を行う通信部２２を有しており、室内機２ａおよび管理サーバ３に情報を供給するとともに、室内機２ａおよび管理サーバ３から供給された情報を受けることができる。この通信アダプタ２ｂは、管理サーバ３との間において、例えばネットワーク（インターネット）を介して情報の通信を行う。また、通信アダプタ２ｂは、ケーブルを介して室内機２ａに接続されており、室内機２ａとの間においてケーブルを介して情報の通信を行う。ただし、室内機２ａと通信アダプタ２ｂは、無線により情報の通信を行ってもよい。
【００３３】
この通信アダプタ２ｂは、制御部を有しており、制御部には、通信アダプタ２ｂに係る各種動作の制御プログラムやデータなどが格納されたＲＯＭ、通信アダプタ２ｂの各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、図１に示すように、時間基準供給部２３が形成されている。なお、この制御部は、通信部２２に接続されている。
【００３４】
時間基準供給部２３は、空気調和機２が使用する第１時間基準についての情報を管理サーバ３に供給する。例えば、空気調和機２が日本に配置される場合、空気調和機２が使用する第１時間基準が日本標準時（ＵＴＣ＋９）であることが管理サーバ３に供給される。
【００３５】
［管理サーバ］
管理サーバ３（サーバ）は、例えばネットワーク（インターネット）を介して空気調和機２および端末装置４との間で情報の通信を行う通信部３１を有しており、空気調和機２の通信アダプタ２ｂおよび端末装置４に情報を供給するとともに、空気調和機２の通信アダプタ２ｂおよび端末装置４から供給された情報を受けることができる。この管理サーバ３は、時間基準として所定の第２時間基準を使用している。この第２時間基準は、管理サーバ３が配置される地域の時間基準と一致する。
【００３６】
この管理サーバ３は、制御部３２を有しており、制御部３２には、管理サーバ３に係る各種動作の制御プログラムやデータなどが格納されたＲＯＭ、管理サーバ３の各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、図１に示すように、時間差分算出部３３、時刻情報第２変換部３４、時刻情報供給部３５、時間基準供給部３６が形成されている。なお、この制御部３２は、通信部３１に接続されている。
【００３７】
時間差分算出部３３は、時間基準供給部２３から受信した空気調和機２が使用する第１時間基準と管理サーバ３が使用する第２時間基準との時間差分を算出する。ここで、空気調和機２が使用する第１時間基準と管理サーバ３が使用する第２時間基準との時間差分には、空気調和機２が配置される地域と管理サーバ３が配置される地域との時差により生じる時間差分の他、サマータイムの有無により生じる時間差分が含まれる。例えば、空気調和機２が配置される地域および管理サーバ３が配置される地域のいずれか一方がサマータイムを採用しており、かつ現在サマータイム実施期間である場合には、空気調和機２が使用する第１時間基準と管理サーバ３が使用する第２時間基準との時間差分には、サマータイムにより生じる時間差分が含まれることとなる。したがって、空気調和機２が使用する第１時間基準と管理サーバ３が使用する第２時間基準との間に時間差分が生じる場合としては、サマータイムによる時間差分があり且つ時差がある場合、サマータイムによる時間差分はないが時差がある場合、時差はないがサマータイムによる時間差分がある場合の３つの場合がある。
【００３８】
時刻情報第２変換部３４は、時間差分算出部３３で算出された時間差分（空気調和機２が使用する第１時間基準と管理サーバ３が使用する第２時間基準との時間差分）に基づいて、端末装置４で設定され管理サーバ３に供給された時刻情報（管理サーバ３から空気調和機２に供給される前の時刻情報）を、管理サーバ３が使用する第２時間基準に基づく時刻情報から空気調和機２が使用する第１時間基準に基づく時刻情報に変換する。例えば空気調和機２が使用する第１時間基準が、管理サーバ３が使用する第２時間基準に対して１時間進んでいる場合、管理サーバ３から空気調和機２に供給される前の時刻情報を１時間早い時刻情報に変換する。また、例えば空気調和機２が使用する第１時間基準が管理サーバ３が使用する第２時間基準に対して１時間遅れている場合、管理サーバ３から空気調和機２に供給される前の時刻情報を１時間遅い時刻情報に変換する。
【００３９】
時刻情報供給部３５は、時刻情報第２変換部３４で変換された時刻情報を空気調和機２に供給する。なお、時間差分算出部３３で算出された時間差分がゼロである場合（空気調和機２が使用する第１時間基準と管理サーバ３が使用する第２時間基準とが一致する場合）は、管理サーバ３から空気調和機２に供給される前の時刻情報が、第２時間基準の時刻情報であるのと同時に第１時間基準の時刻情報であるので、時刻情報供給部３５は、時刻情報を変換することなくそのまま空気調和機２に供給する。時間基準供給部３６は、管理サーバ３が使用する第２時間基準についての情報を端末装置４に供給する。
【００４０】
［端末装置］
端末装置４は、例えば携帯電話機（スマートフォン）、ＰＤＡ、パーソナルコンピュータなどの液晶端末である。この端末装置４は、例えばネットワーク（インターネット）を介して管理サーバ３との間で情報の通信を行う通信部４０を有しており、管理サーバ３に情報を供給するとともに、管理サーバ３から供給された情報を受けることができる。
【００４１】
この端末装置４は、表示画面１０と、表示画面１０に表示される内容を制御する制御部４１とを有している。制御部４１には、端末装置４に係る各種動作の制御プログラムやデータなどが格納されたＲＯＭ、端末装置４の各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、図１に示すように、地域設定部４２、サマータイム設定部４３、時間基準決定部４４、タイマ設定部４５、時間差分算出部４６、時刻情報第１変換部４７、時刻情報供給部４８が形成されている。この制御部４１は、通信部４０および表示画面１０に接続されている。
【００４２】
地域設定部４２は、端末装置４が使用される地域を設定する。地域設定部４２は、例えば、国毎に設定可能である。また、例えば１つの国に時差が異なる複数の地域がある場合、または１つの国にサマータイムを採用する地域と採用しない地域がある場合は、その地域毎に設定可能である。サマータイム設定部４３は、地域設定部４２で設定された地域がサマータイムを採用する地域である場合に、現在サマータイム実施期間であるか否かを設定する。この地域設定部４２およびサマータイム設定部４３は、例えば表示画面１０に表示される操作部に触れることにより設定操作可能である。
【００４３】
時間基準決定部４４は、地域設定部４２で設定された地域およびサマータイム設定部４３で設定されたサマータイム実施期間の有無に基づいて、端末装置４が使用する第３時間基準を決定する。例えば、地域設定部４２で日本が設定された場合、端末装置４が使用する第３時間基準は、日本標準時（協定世界時（ＵＴＣ）より９時間進んだ時間基準（ＵＴＣ＋９））となる。
【００４４】
タイマ設定部４５は、空気調和機２が有するタイマ機能（入タイマ、切タイマなど）と、タイマ設定時刻を設定する。このタイマ設定部４５は、例えば表示画面１０に表示される操作部に触れることにより設定操作可能である。このタイマ設定部４５によって設定されたタイマ設定時刻についての時刻情報は、端末装置４が使用する第３時間基準に基づく時刻情報となる。したがって、ユーザは、端末装置４が使用する第３時間基準と空気調和機２が使用する第１時間基準とが異なる場合には、第３時間基準と第１時間基準との時間差分を考慮して、タイマ設定時刻を設定する必要がある。例えば、端末装置４が使用する第３時間基準が、空気調和機２が使用する第１時間基準に対して２時間進んでいる場合において、ユーザが端末装置４から空気調和機２を第１時間基準におけるＡＭ６：００にタイマ設定したい場合、ユーザは、端末装置４のタイマ設定時刻を第３時間基準のＡＭ８：００に設定する必要がある。
【００４５】
時間差分算出部４６は、時間基準決定部４４で決定された第３時間基準についての情報および時間基準供給部３６から受信した第２時間基準についての情報に基づいて、端末装置４が使用する第３時間基準と管理サーバ３が使用する第２時間基準との時間差分を算出する。ここで、端末装置４が使用する第３時間基準と管理サーバ３が使用する第２時間基準との時間差分には、端末装置４が配置される地域と管理サーバ３が配置される地域との時差により生じる時間差分の他、サマータイムの有無により生じる時間差分が含まれる。例えば、端末装置４が配置される地域および管理サーバ３が配置される地域のいずれか一方がサマータイム採用地域であり、かつ現在サマータイム実施期間である場合、第３時間基準と第２時間基準との時間差分には、サマータイムにより生じる時間差分が含まれることとなる。したがって、端末装置４が使用する第３時間基準と管理サーバ３が使用する第２時間基準との間に時間差分が生じる場合としては、サマータイムによる時間差分があり且つ時差がある場合、サマータイムによる時間差分はないが時差がある場合、時差はないがサマータイムによる時間差分がある場合の３つの場合がある。
【００４６】
時刻情報第１変換部４７は、時間差分算出部４６で算出された時間差分（端末装置４が使用する第３時間基準と管理サーバ３が使用する第２時間基準との時間差分）に基づいて、タイマ設定部４５で設定されたタイマ設定時刻についての時刻情報（端末装置４から管理サーバ３に供給される前の時刻情報）を、端末装置４が使用する第３時間基準に基づく時刻情報から管理サーバ３が使用する第２時間基準に基づく時刻情報に変換する。時刻情報供給部４８は、時刻情報第１変換部４７で変換された時刻情報を管理サーバ３に供給する。なお、時間差分算出部４６で算出された時間差分がゼロである場合（端末装置４が使用する第３時間基準と管理サーバ３が使用する第２時間基準とが一致する場合）は、端末装置４から管理サーバ３に供給される前の時刻情報が、第３時間基準の時刻情報であるのと同時に第２時間基準の時刻情報であるので、時刻情報供給部４８は、時刻情報を変換することなくそのまま管理サーバ３に供給する。
【００４７】
［フロー］
次に、図２を参照して時刻情報供給システム１の時刻情報供給動作について説明する。以下のフローでは、予め端末装置４が使用する第３時間基準が決まっているものとする。また、空気調和機２が使用する第１時間基準と管理サーバ３が使用する第２時間基準とが異なり、かつ端末装置４が使用する第３時間基準と管理サーバ３が使用する第２時間基準とが異なるものとする。
【００４８】
まず、端末装置４で空気調和機２のタイマ設定時刻についての時刻情報が設定されたか否かを判断し（Ｓ１）、時刻情報が設定されるまでそれを繰り返す。時刻情報が設定された場合（Ｓ１：Ｙｅｓ）、設定された時刻情報（端末装置４から管理サーバ３に供給される前の時刻情報）を端末装置４が使用する第３時間基準に基づく時刻情報から管理サーバ３が使用する第２時間基準に基づく時刻情報に変換する（Ｓ２）。そして、変換された時刻情報を管理サーバ３に供給する（Ｓ３）。次に、端末装置４から管理サーバ３に供給された時刻情報（管理サーバ３から空気調和機２に供給される前の時刻情報）を管理サーバ３が使用する第２時間基準に基づく時刻情報から空気調和機２が使用する第１時間基準に基づく時刻情報に変換する（Ｓ４）。そして、変換された時刻情報を空気調和機２に供給する（Ｓ５）。最後に、空気調和機２に供給された時刻情報（第２時間基準から第１時間基準に変換された時刻情報）に基づいて空気調和機２を制御（タイマ制御）する（Ｓ６）。
【００４９】
［実施例］
次に、図３を参照して時刻情報供給システム１の時刻情報供給動作の一実施例について説明する。例えば、Ａ国に空気調和機２が配置され、Ｂ国に管理サーバ３が配置され、Ｃ国にユーザが存在する（端末装置４が配置される）場合において、Ｃ国にいるユーザがＡ国にある空気調和機２の入タイマを設定する場合について考える。ここで、空気調和機２が使用する第１時間基準は、協定世界時より１時間遅れた時間基準（ＵＴＣ−１）であるとし、管理サーバ３が使用する第２時間基準は、協定世界時と一致する時間基準（ＵＴＣ±０）であるとし、端末装置４が使用する第３時間基準は、協定世界時より１時間進んだ時間基準（ＵＴＣ＋１）であるとする。
【００５０】
まず、ユーザは、端末装置４で空気調和機２のタイマ設定時刻を設定する。この場合において、端末装置４が使用する第３時間基準と空気調和機２が使用する第１時間基準とが異なるので、ユーザは、端末装置４が使用する第３時間基準と空気調和機２が使用する第１時間基準との時間差分を考慮して、タイマ設定時刻を設定する必要がある。例えば、本実施例では、端末装置４が使用する第３時間基準が、空気調和機２が使用する第１時間基準に対して２時間進んでいるため、例えばユーザが空気調和機２をＡ国時間のＡＭ６：００に運転開始したい場合、ユーザは、端末装置４において、空気調和機２のタイマ設定時刻をＡＭ８：００に設定する。
【００５１】
端末装置４でタイマ設定時刻が設定されると、端末装置４が使用する第３時間基準と管理サーバ３が使用する第２時間基準との時間差分に基づいて、端末装置４から管理サーバ３に供給される前の時刻情報が、第３時間基準の時刻情報「ＡＭ８：００」から第２時間基準の時刻情報「ＡＭ７：００」に変換され、管理サーバ３に供給される。次に、管理サーバ３が使用する第２時間基準と空気調和機２が使用する第１時間基準との時間差分に基づいて、管理サーバ３から空気調和機２に供給される前の時刻情報が、第２時間基準の時刻情報「ＡＭ７：００」から第１時間基準の時刻情報「ＡＭ６：００」に変換され、空気調和機２に供給される。そして、第２時間基準から第１時間基準に変換された時刻情報「ＡＭ６：００」に基づいて空気調和機２が制御（タイマ制御）される。すなわち、Ａ国時間のＡＭ６：００になったときに空気調和機２の運転が開始される。したがって、端末装置４から管理サーバ３に供給される前の時刻情報が、管理サーバ３が使用する時間基準に対してずれたものとなることが防止される。また、管理サーバ３から空気調和機２に供給される前の時刻情報が、空気調和機２が使用する時間基準に対してずれたものとなることが防止される。したがって、例えば管理サーバ３から空気調和機２に供給された時刻情報に基づいて空気調和機２が制御（タイマ制御）される場合において、ユーザが端末装置４で設定したタイマ設定時刻とは異なるタイミングで空気調和機２が制御（タイマ制御）されることが防止される。
【００５２】
＜本実施形態の時刻情報供給システムの特徴＞
本実施形態の時刻情報供給システム１では、空気調和機２（機器）が使用する第１時間基準と管理サーバ３（サーバ）が使用する第２時間基準とが異なる場合に、管理サーバ３から空気調和機２に供給される前の時刻情報が、管理サーバ３が使用する第２時間基準から空気調和機２が使用する第１時間基準に変換されるので、管理サーバ３から空気調和機２に供給された時刻情報が、空気調和機２が使用する時間基準に対してずれたものとなるのを防止できる。
【００５３】
また、本実施形態の時刻情報供給システム１では、端末装置４が使用する第３時間基準と管理サーバ３（サーバ）が使用する第２時間基準とが異なる場合に、端末装置４から管理サーバ３に供給される前の時刻情報が、端末装置４が使用する第３時間基準から管理サーバ３が使用する第２時間基準に変換されるので、端末装置４から管理サーバ３に供給された時刻情報が、管理サーバ３が使用する時間基準に対してずれたものとなるのを防止できる。
したがって、例えば管理サーバ３から空気調和機２に供給された時刻情報に基づいて空気調和機２が制御（タイマ制御）される場合において、ユーザが端末装置４で設定した時刻とは異なるタイミングで空気調和機２が制御（タイマ制御）されることを防止できる。
【００５４】
また、本実施形態の時刻情報供給システム１では、端末装置４が使用する時間基準と管理サーバ３（サーバ）が使用する時間基準との時間差分には、サマータイムの有無により生じる時間差分が含まれるので、端末装置４から管理サーバ３に供給された時刻情報が、サマータイムの有無により生じる時間差分だけ管理サーバ３が使用する時間基準に対してずれたものとなるのを防止できる。
【００５５】
また、本実施形態の時刻情報供給システム１では、空気調和機２（機器）が使用する時間基準と管理サーバ３（サーバ）が使用する時間基準との時間差分には、サマータイムの有無により生じる時間差分が含まれるので、管理サーバ３から空気調和機２に供給された時刻情報が、サマータイムの有無により生じる時間差分だけ空気調和機２が使用する時間基準に対してずれたものとなるのを防止できる。
【００５６】
また、本実施形態の時刻情報供給システム１では、端末装置４で設定された時刻情報が、空気調和機２（機器）のタイマ設定時刻についての時刻情報である場合において、管理サーバ３（サーバ）から空気調和機２に供給される時刻情報が、空気調和機２が使用する時間基準に対してずれたものとなるのを防止できる。
【００５７】
また、本実施形態の時刻情報供給システム１では、管理サーバ３（サーバ）が使用する時間基準から空気調和機２（機器）が使用する時間基準に変換された時刻情報に基づいて、空気調和機２が制御されるので、空気調和機２が使用する時間基準に対してずれた時刻情報に基づいて空気調和機２が制御されるのを防止できる。
【００５８】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５９】
［変形例］
次に図４及び図５を参照して変形例に係る時刻情報供給システムについて説明する。上記実施形態に係る時刻情報供給システム１では、図３に示すように、例えば、Ａ国に空気調和機２が配置され、Ｂ国に管理サーバ３が配置され、Ｃ国にユーザが存在する（端末装置４が配置される）場合において、Ｃ国にいるユーザがＡ国にある空気調和機２の入タイマを設定する場合を考えたときに、端末装置４が使用する第３時間基準と空気調和機２が使用する第１時間基準とが異なるので、ユーザは、第３時間基準と第１時間基準との時間差分を自ら算出・考慮して、タイマ設定時刻を設定する必要がある。そのため、タイマ設定時刻の設定が煩雑となるおそれがある。そこで、本変形例に係る時刻情報供給システムは、上記に鑑み、端末装置４が使用する第３時間基準と空気調和機２が使用する第１時間基準とが異なる場合に、第３時間基準と第１時間基準との時間差分に基づいて、端末装置１０４で設定されたタイマ設定時刻についての時刻情報を端末装置１０４が使用する第３時間基準に基づく時刻情報に変換する機能を有し、ユーザが第３時間基準と第１時間基準との時間差分を自ら算出・考慮して、タイマ設定時刻を設定しなくて済むようにしてある。
【００６０】
この時刻情報供給システムは、図４に示すように、端末装置１０４の制御部１４１が、端末装置１０４で設定されたタイマ設定時刻についての時刻情報を端末装置１０４が使用する第３時間基準に基づく時刻情報に変換する時刻情報第３変換部１４９をさらに有する点、時刻情報第１変換部１４７が、時刻情報第３変換部１４９で変換された時刻情報を管理サーバ３が使用する第２時間基準に基づく時刻情報に変換する点で、上記実施形態と異なる。なお、本変形例において、上記実施形態と同様の構成を有するものについては、同じ符号を付してその説明を適宜省略する。
【００６１】
この時刻情報第３変換部１４９は、詳しくは、時間基準供給部２３から管理サーバ３を介して受信した空気調和機２が使用する第１時間基準と、端末装置１０４が使用する第３時間基準との時間差分を算出するとともに、算出した時間差分に基づいて、タイマ設定部４５で設定されたタイマ設定時刻についての時刻情報を、第３時間基準に基づく時刻情報に変換する。
【００６２】
（実施例）
次に、図５を参照して時刻情報供給システムの時刻情報供給動作の一実施例について説明する。例えば、Ａ国に空気調和機２が配置され、Ｂ国に管理サーバ３が配置され、Ｃ国にユーザが存在する（端末装置１０４が配置される）場合において、Ｃ国にいるユーザがＡ国にある空気調和機２の入タイマを設定する場合について考える。ここで、空気調和機２が使用する第１時間基準は、協定世界時より１時間遅れた時間基準（ＵＴＣ−１）であるとし、管理サーバ３が使用する第２時間基準は、協定世界時と一致する時間基準（ＵＴＣ±０）であるとし、端末装置１０４が使用する第３時間基準は、協定世界時より１時間進んだ時間基準（ＵＴＣ＋１）であるとする。
【００６３】
まず、ユーザは、端末装置１０４で空気調和機２のタイマ設定時刻を設定する。上記実施形態では、図３に示すように、端末装置４が使用する第３時間基準と空気調和機２が使用する第１時間基準とが異なるので、ユーザは、第３時間基準と第１時間基準との時間差分を自ら算出・考慮して、タイマ設定時刻を設定する必要があるが、この変形例では、図５に示すように、ユーザは、Ａ国時間のタイマ設定時刻を設定すればよい。例えば、ユーザが空気調和機２をＡ国時間のＡＭ６：００に運転開始したい場合、ユーザは、端末装置１０４において、空気調和機２のタイマ設定時刻を、ＡＭ６：００に設定する。
【００６４】
端末装置１０４でタイマ設定時刻が設定されると、端末装置１０４が使用する第３時間基準と空気調和機２が使用する第１時間基準との時間差分に基づいて、ユーザが設定した時刻情報「ＡＭ６：００」が、第３時間基準の時刻情報「ＡＭ８：００」に変換され、この第３時間基準の時刻情報「ＡＭ８：００」が、端末装置１０４の内部管理時間として端末装置１０４に記憶される。
【００６５】
そして、端末装置１０４が使用する第３時間基準と管理サーバ３が使用する第２時間基準との時間差分に基づいて、端末装置１０４から管理サーバ３に供給される前の時刻情報が、端末装置１０４の内部管理時間「ＡＭ８：００」から第２時間基準の時刻情報「ＡＭ７：００」に変換され、管理サーバ３に供給される。次に、管理サーバ３が使用する第２時間基準と空気調和機２が使用する第１時間基準との時間差分に基づいて、管理サーバ３から空気調和機２に供給される前の時刻情報が、第２時間基準の時刻情報「ＡＭ７：００」から第１時間基準の時刻情報「ＡＭ６：００」に変換され、空気調和機２に供給される。そして、第２時間基準から第１時間基準に変換された時刻情報「ＡＭ６：００」に基づいて空気調和機２が制御（タイマ制御）される。すなわち、Ａ国時間のＡＭ６：００になったときに空気調和機２の運転が開始される。
【００６６】
＜本変形例の時刻情報供給システムの特徴＞
本変形例の時刻情報供給システムでは、空気調和機２（機器）が使用する第１時間基準と管理サーバ３（サーバ）が使用する第２時間基準とが異なる場合に、端末装置１０４で設定された時刻情報が第３時間基準に基づく時刻情報に変換されるので、ユーザは端末装置１０４で設定するタイマ設定時刻を空気調和機２が使用する第１時間基準に基づいて設定できる。したがって、ユーザが、端末装置１０４が使用する第３時間基準と空気調和機２が使用する第１時間基準との時間差分を自ら算出・考慮して、タイマ設定時刻を設定しなくて済む。
【００６７】
［その他変形例］
上述の実施形態では、管理サーバ３（サーバ）が、時刻情報第２変換部３４を有し、空気調和機２（機器）が使用する第１時間基準と管理サーバ３が使用する第２時間基準とが異なる場合に、管理サーバ３から空気調和機２に供給される前の時刻情報が第２時間基準から第１時間基準に変換される場合について説明したが、空気調和機２（例えば室内機２ａの制御部または通信アダプタ２ｂの制御部）が、時刻情報第２変換部を有し、管理サーバ３から空気調和機２に供給された後の時刻情報が第２時間基準から第１時間基準に変換されてもよい。
【００６８】
本変形例の時刻情報供給システム１では、空気調和機２が使用する第１時間基準と管理サーバ３（サーバ）が使用する第２時間基準とが異なる場合に、管理サーバ３から空気調和機２に供給された後の時刻情報が、第２時間基準から第１時間基準に変換されるので、管理サーバ３から空気調和機２に供給された時刻情報が、空気調和機２が使用する時間基準に対してずれたものとなるのを防止できる。
【００６９】
また、上述の実施形態では、端末装置４が、時刻情報第１変換部４７を有し、端末装置４が使用する第３時間基準と管理サーバ３（サーバ）が使用する第２時間基準とが異なる場合に、端末装置４から管理サーバ３に供給される前の時刻情報が第３時間基準から第２時間基準に変換される場合について説明したが、管理サーバ３が、時刻情報第１変換部を有し、端末装置４から管理サーバ３に供給された後の時刻情報が第３時間基準から第２時間基準に変換されもよい。
【００７０】
本変形例の時刻情報供給システム１では、端末装置４が使用する第３時間基準と管理サーバ３（サーバ）が使用する第２時間基準とが異なる場合に、端末装置４から管理サーバ３に供給された後の時刻情報が、第３時間基準から第２時間基準に変換されるので、端末装置４から管理サーバ３に供給された時刻情報が、管理サーバ３が使用する時間基準に対してずれたものとなるのを防止できる。
【００７１】
また、上述の実施形態では、フロー及び一実施例として、空気調和機２（機器）が使用する第１時間基準と管理サーバ３（サーバ）が使用する第２時間基準が異なり、かつ端末装置４が使用する第３時間基準と管理サーバ３が使用する第２時間基準とが異なる場合について説明したが、端末装置４が使用する第３時間基準と管理サーバ３が使用する第２時間基準とが異なるが、空気調和機２（機器）が使用する第１時間基準と管理サーバ３（サーバ）が使用する第２時間基準とが一致してもよい。この場合、端末装置４から管理サーバ３に供給される時刻情報は、第３時間基準から第２時間基準に変換される。一方、管理サーバ３から空気調和機２に供給される時刻情報は、第２時間基準の時刻情報であるのと同時に第１時間基準の時刻情報であるので、時刻情報が変換されることなくそのまま空気調和機２に供給される。
【００７２】
また、上述の実施形態では、フロー及び一実施例として、空気調和機２（機器）が使用する第１時間基準と管理サーバ３（サーバ）が使用する第２時間基準が異なり、かつ端末装置４が使用する第３時間基準と管理サーバ３が使用する第２時間基準とが異なる場合について説明したが、空気調和機２が使用する第１時間基準と管理サーバ３が使用する第２時間基準とが異なるが、端末装置４が使用する第３時間基準と管理サーバ３が使用する第２時間基準とが一致してもよい。この場合、端末装置４から管理サーバ３に供給される時刻情報は、第３時間基準の時刻情報であるのと同時に第２時間基準の時刻情報であるので、時刻情報が変換されることなくそのまま管理サーバ３に供給される。一方、管理サーバ３から空気調和機２に供給される時刻情報は、第２時間基準から第１時間基準に変換される。
【００７３】
また、上記の実施形態では、時刻情報供給動作（フロー）として、空気調和機２（機器）が使用する第１時間基準と、管理サーバ３（サーバ）が使用する第２時間基準と、端末装置４が使用する第３時間基準とが互いに異なる場合の時刻情報供給動作について説明したが、空気調和機２（機器）が使用する第１時間基準と端末装置４が使用する第３時間基準とが一致し、管理サーバ３が使用する第２時間基準だけが他と異なる場合においても、時刻情報供給動作は、上記時刻情報供給動作（フロー）と同じである。なお、その場合においては、端末装置４で設定されたタイマ設定時刻についての時刻情報と、第１時間基準に変換された時刻情報とが一致することとなるので、ユーザは、端末装置４が使用する第３時間基準と空気調和機２が使用する第１時間基準との時間差分を考慮してタイマ設定時刻を設定しなくてよい。
【００７４】
また、上述の実施形態では、空気調和機２（機器）が使用する第１時間基準と管理サーバ３（サーバ）が使用する第２時間基準との時間差分に、サマータイムの有無により生じる時間差分が含まれる場合において説明したが、第１時間基準と第２時間基準との時間差分に、サマータイムの有無により生じる時間差分が含まれなくてもよい。
【００７５】
また、上述の実施形態では、端末装置４が使用する第３時間基準と管理サーバ３（サーバ）が使用する第２時間基準との時間差分に、サマータイムの有無により生じる時間差分が含まれる場合において説明したが、第３時間基準と第２時間基準との時間差分に、サマータイムの有無により生じる時間差分が含まれなくてもよい。
【００７６】
また、上述の実施形態では、端末装置４で設定された時刻情報が、空気調和機２（機器）のタイマ設定時刻についての時刻情報である場合について説明したが、端末装置４で設定された時刻情報は、空気調和機２のタイマ設定時刻についての時刻情報に限られない。したがって、例えば、端末装置４で設定された時刻情報が、空気調和機２（機器）の初期設定における時刻設定についての時刻情報であってもよい。
【００７７】
また、上述の実施形態では、管理サーバ３（サーバ）が使用する第２時間基準から空気調和機２（機器）が使用する第１時間基準に変換された時刻情報に基づいて、空気調和機２が制御される例として、タイマ設定についての時刻情報に基づいて空気調和機２がタイマ制御される場合について説明したが、タイマ設定についての時刻情報以外の時刻情報に基づいて、空気調和機２が制御されてもよい。
【００７８】
また、上述の実施形態では、時間基準決定部４４が、地域設定部４２で設定された地域およびサマータイム設定部４３で設定されたサマータイムの有無に基づいて、端末装置４が使用する第３時間基準を決定する場合について説明したが、時間基準決定部による第３時間基準の決定方法は上記に限られない。例えば時間基準決定部は、ＧＰＳ衛星からの信号を取得することによって割り出された端末装置４の現在位置情報から、当該現在位置に該当する地域の時間基準についての情報を取得することにより、第３時間基準を決定してもよい。
【００７９】
また、上述の実施形態では、空気調和機２が、本発明における機器に対応する場合について説明したが、本発明における機器は、空気調和機２に限定されるものではない。例えば、空気清浄機や、加湿機や、除湿機であってもよいし、給湯器や床暖房機器を含む温水機器であってもよいし、暖房機器であってもよいし、油圧機器や、空圧機器や、水圧機器であってもよい。
【産業上の利用可能性】
【００８０】
本発明を利用すれば、サーバから機器に供給される時刻情報が、機器が使用する時間基準に対してずれたものとなるのを防止できる。
【符号の説明】
【００８１】
１  時刻情報供給システム
２  空気調和機（機器）
３  管理サーバ（サーバ）
４、１０４  端末装置
【図１】
2015141509.tif 000003
【図２】
2015141509.tif 000004
【図３】
2015141509.tif 000005
【図４】
2015141509.tif 000006
【図５】
2015141509.tif 000007
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
端末装置で設定された時刻情報がサーバを介して機器に供給される時刻情報供給システ
ムであって、
前記機器が使用する第１時間基準と前記サーバが使用する第２時間基準とが異なる場合
に、前記サーバから前記機器に供給される前または供給された後の時刻情報が、前記第２
時間基準に基づく時刻情報から前記第１時間基準に基づく時刻情報に変換され、
前記端末装置が使用する第３時間基準と前記サーバが使用する第２時間基準とが異なる
場合に、前記端末装置から前記サーバに供給される前または供給された後の時刻情報が、
前記第３時間基準に基づく時刻情報から前記第２時間基準に基づく時刻情報に変換される
ことを特徴とする時刻情報供給システム。
【請求項２】
前記第３時間基準と前記第２時間基準との時間差分には、サマータイムの有無により生
じる時間差分が含まれることを特徴とする請求項１に記載の時刻情報供給システム。
【請求項３】
前記第１時間基準と前記第２時間基準との時間差分には、サマータイムの有無により生
じる時間差分が含まれることを特徴とする請求項１または２に記載の時刻情報供給
システム。
【請求項４】
前記端末装置で設定された時刻情報が、機器のタイマ設定時刻についての時刻情報であ
ることを特徴とする請求項１−３のいずれかに記載の時刻情報供給システム。
【請求項５】
前記機器が、前記第２時間基準から前記第１時間基準に変換された時刻情報に基づいて
制御されることを特徴とする請求項１−４のいずれかに記載の時刻情報供給システム。
【手続補正２】
【補正対象書類名】明細書
【補正対象項目名】全文
【補正方法】変更
【補正の内容】
【発明の詳細な説明】
【技術分野】
【０００１】
本発明は、例えば携帯電話機などの端末装置で設定された時刻情報がサーバを介して機
器に供給される時刻情報供給システムに関する。
【背景技術】
【０００２】
例えば特許文献１には、端末装置と、サーバ（サービス機器）と、家電品および通信ア
ダプタを有する機器とを備え、端末装置で設定された機器（家電品）の操作指示情報がサ
ーバを介して機器に供給される情報供給システムが記載されている。
【先行技術文献】
【特許文献】
【０００３】
【特許文献１】特開２００９−２３９９２２号公報
【発明の概要】
【発明が解決しようとする課題】
【０００４】
上記のような情報供給システムでは、例えば端末装置で設定された時刻情報（例えばタ
イマ設定時刻）がサーバを介して機器に供給される場合が考えられるが、機器が配置され
る地域とサーバが配置される地域とに時差があるなどして、機器が使用する時間基準とサ
ーバが使用する時間基準とが異なる場合、サーバから機器に供給された時刻情報が、サー
バが使用する時間基準と機器が使用する時間基準との時間差分だけ、機器が使用する時間
基準に対してずれたものとなる。その結果、例えばサーバから空気調和機（機器）に供給
された時刻情報（例えば入タイマの設定時刻）に基づいて空気調和機が制御される場合、
ユーザが空気調和機の運転を開始したい時刻とは異なる時刻に空気調和機の運転が開始さ
れてしまう問題がある。
【０００５】
そこで、本発明の目的は、サーバから機器に供給された時刻情報が、機器が使用する時
間基準に対してずれたものとなるのを防止できる時刻情報供給システムを提供することで
ある。
【課題を解決するための手段】
【０００６】
第１の発明にかかる時刻情報供給システムは、端末装置で設定された時刻情報がサーバ
を介して機器に供給される時刻情報供給システムであって、前記機器が使用する第１時間
基準と前記サーバが使用する第２時間基準とが異なる場合に、前記サーバから前記機器に
供給される前または供給された後の時刻情報が、前記第２時間基準に基づく時刻情報から
前記第１時間基準に基づく時刻情報に変換され、前記端末装置が使用する第３時間基準と前記サーバが使用する第２時間基準とが異なる場合に、前記端末装置から前記サーバに供給される前または供給された後の時刻情報が、前記第３時間基準に基づく時刻情報から前記第２時間基準に基づく時刻情報に変換されることを特徴とする。
【０００７】
この時刻情報供給システムでは、機器が使用する時間基準とサーバが使用する時間基準
とが異なる場合に、サーバから機器に供給される前または供給された後の時刻情報が、サ
ーバが使用する時間基準に基づく時刻情報から機器が使用する時間基準に基づく時刻情報
に変換されるので、サーバから機器に供給された時刻情報が、機器が使用する時間基準に
対してずれたものとなるのを防止できる。
【０００８】
【０００９】
この時刻情報供給システムでは、端末装置が使用する時間基準とサーバが使用する時間
基準とが異なる場合に、端末装置からサーバに供給される前または供給された後の時刻情
報が、端末装置が使用する時間基準に基づく時刻情報からサーバが使用する時間基準に基
づく時刻情報に変換されるので、端末装置からサーバに供給された時刻情報が、サーバが
使用する時間基準に対してずれたものとなるのを防止できる。
したがって、例えばサーバから機器に供給された時刻情報に基づいて機器が制御される
場合において、端末装置で設定された時刻とは異なるタイミングで機器が制御されること
を防止できる。
【００１０】
第２の発明にかかる時刻情報供給システムは、第１の発明にかかる時刻情報供給システ
ムにおいて、前記第３時間基準と前記第２時間基準との時間差分には、サマータイムの有
無により生じる時間差分が含まれることを特徴とする。
【００１１】
この時刻情報供給システムでは、端末装置が使用する時間基準とサーバが使用する時間
基準との時間差分には、サマータイムの有無により生じる時間差分が含まれるので、端末
装置からサーバに供給された時刻情報が、サマータイムの有無により生じる時間差分だけ
サーバが使用する時間基準に対してずれたものとなるのを防止できる。
【００１２】
第３の発明にかかる時刻情報供給システムは、第１または第２の発明にかかる時刻情報供給システムにおいて、前記第１時間基準と前記第２時間基準との時間差分には、サマータイムの有無により生じる時間差分が含まれることを特徴とする。
【００１３】
この時刻情報供給システムでは、機器が使用する時間基準とサーバが使用する時間基準
との時間差分には、サマータイムの有無により生じる時間差分が含まれるので、サーバか
ら機器に供給された時刻情報が、サマータイムの有無により生じる時間差分だけ機器が使
用する時間基準に対してずれたものとなるのを防止できる。
【００１４】
第４の発明にかかる時刻情報供給システムは、第１−第３のいずれかの発明にかかる時
刻情報供給システムにおいて、前記端末装置で設定された時刻情報が、機器のタイマ設定
時刻についての時刻情報であることを特徴とする。
【００１５】
この時刻情報供給システムでは、端末装置で設定された時刻情報が、機器のタイマ設定
時刻についての時刻情報である場合において、サーバから機器に供給される時刻情報が、
機器が使用する時間基準に対してずれたものとなるのを防止できる。
【００１６】
第５の発明にかかる時刻情報供給システムは、第１−第４のいずれかの発明にかかる時
刻情報供給システムにおいて、前記機器が、前記第２時間基準から前記第１時間基準に変
換された時刻情報に基づいて制御されることを特徴とする。
【００１７】
この時刻情報供給システムでは、サーバが使用する時間基準から機器が使用する時間基
準に変換された時刻情報に基づいて機器が制御されるので、機器が使用する時間基準に対
してずれた時刻情報に基づいて機器が制御されるのを防止できる。
【発明の効果】
【００１８】
以上の説明に述べたように、本発明によれば、以下の効果が得られる。
【００１９】
第１の発明では、機器が使用する時間基準とサーバが使用する時間基準とが異なる場合
に、サーバから機器に供給される前または供給された後の時刻情報が、サーバが使用する
時間基準に基づく時刻情報から機器が使用する時間基準に基づく時刻情報に変換されるの
で、サーバから機器に供給された時刻情報が、機器が使用する時間基準に対してずれたも
のとなるのを防止できる。
【００２０】
第１の発明では、端末装置が使用する時間基準とサーバが使用する時間基準とが異なる
場合に、端末装置からサーバに供給される前または供給された後の時刻情報が、端末装置
が使用する時間基準に基づく時刻情報からサーバが使用する時間基準に基づく時刻情報に
変換されるので、端末装置からサーバに供給された時刻情報が、サーバが使用する時間基
準に対してずれたものとなるのを防止できる。
したがって、例えばサーバから機器に供給された時刻情報に基づいて機器が制御される
場合において、端末装置で設定された時刻とは異なるタイミングで機器が制御されること
を防止できる。
【００２１】
第２の発明では、端末装置が使用する時間基準とサーバが使用する時間基準との時間差
分には、サマータイムの有無により生じる時間差分が含まれるので、端末装置からサーバ
に供給される時刻情報が、サマータイムの有無により生じる時間差分だけサーバが使用す
る時間基準に対してずれたものとなるのを防止できる。
【００２２】
第３の発明では、機器が使用する時間基準とサーバが使用する時間基準との時間差分に
は、サマータイムの有無により生じる時間差分が含まれるので、サーバから機器に供給さ
れた時刻情報が、サマータイムの有無により生じる時間差分だけ機器が使用する時間基準
に対してずれたものとなるのを防止できる。
【００２３】
第４の発明では、端末装置で設定された時刻情報が、機器のタイマ設定時刻についての
時刻情報である場合において、サーバから機器に供給された時刻情報が、機器が使用する
時間基準に対してずれたものとなるのを防止できる。
【００２４】
第５の発明では、サーバが使用する時間基準から機器が使用する時間基準に変換された
時刻情報に基づいて機器が制御されるので、機器が使用する時間基準に対してずれた時刻
情報に基づいて機器が制御されるのを防止できる。
【図面の簡単な説明】
【００２５】
【図１】本発明の実施形態に係る時刻情報供給システムの構成を示す図である。
【図２】図１に示す時刻情報供給システムの時刻情報供給動作を示すフローチャートである。
【図３】図１に示す時刻情報供給システムの時刻情報供給動作の一実施例を示す概略図である。
【図４】本発明の変形例に係る時刻情報供給システムの構成を示す図である。
【図５】図４に示す時刻情報供給システムの時刻情報供給動作の一実施例を示す概略図である。
【発明を実施するための形態】
【００２６】
以下、本発明の実施形態に係る時刻情報供給システムについて説明する。  
【００２７】
［時刻情報供給システムの全体構成］
図１に示すように、本発明の実施形態に係る時刻情報供給システム１は、空気調和機２
（機器）と、管理サーバ３（サーバ）と、管理サーバ３との間で情報の通信を行う端末装
置４とを備えている。
【００２８】
［空気調和機］
空気調和機２は、室外に設置される図示しない室外機と、室内に設置される室内機２ａ
と、室内機２ａに接続され管理サーバ３との間で情報の通信を行う通信アダプタ２ｂとを
有している。この空気調和機２は、自動運転、冷房運転、暖房運転、除湿運転、加湿運転
、空気清浄運転及び送風運転のいずれかの運転が可能であって、リモコンや端末装置４に
よって、いずれかの運転を選択して運転開始操作や運転停止操作を行ったり、室内温度の
設定温度を設定することができる。なお、本実施形態では、空気調和機２が、本発明にお
ける機器に対応する。
【００２９】
室内機２ａは、制御部を有しており、制御部には、室内機２ａ（空気調和機２）に係る
各種動作の制御プログラムやデータなどが格納されたＲＯＭ、室内機２ａ（空気調和機２
）の各部の動作を制御する信号を生成するために各種演算を実行するＣＰＵ、各種設定や
ＣＰＵでの演算結果などのデータを一時保管するＲＡＭなどの部材が含まれている。これ
ら各種部材およびソフトウェアによって、図１に示すように、タイマ制御部２１が形成さ
れている。
【００３０】
タイマ制御部２１は、例えばリモコンや端末装置４から供給されたタイマ設定時刻につ
いての時刻情報に基づいて室内機２ａ（空気調和機２）を制御する。例えば、リモコンや
端末装置４で入タイマが設定された場合、タイマ制御部２１は、現在時刻がタイマ設定時
刻になったときに室内機２ａ（空気調和機２）の運転を開始する。また例えば、リモコン
や端末装置４で切タイマが設定された場合、タイマ制御部２１は、現在時刻がタイマ設定
時刻になったときに室内機２ａ（空気調和機２）の運転を停止する。
【００３１】
ところで、この空気調和機２は、時間基準として所定の第１時間基準を使用している。
この第１時間基準は、空気調和機２が配置される地域の時間基準と一致する。例えば、空
気調和機２が日本に配置される場合、空気調和機２が使用する第１時間基準は、日本標準
時（協定世界時（ＵＴＣ）より９時間進んだ時間基準（ＵＴＣ＋９））である。したがっ
て、例えば、リモコンや端末装置４で入タイマが設定された場合、タイマ制御部２１は、
日本標準時における時刻がタイマ設定時刻になったときに室内機２ａ（空気調和機２）の
運転を開始する。
【００３２】
通信アダプタ２ｂは、室内機２ａおよび管理サーバ３との間で情報の通信を行う通信部
２２を有しており、室内機２ａおよび管理サーバ３に情報を供給するとともに、室内機２
ａおよび管理サーバ３から供給された情報を受けることができる。この通信アダプタ２ｂ
は、管理サーバ３との間において、例えばネットワーク（インターネット）を介して情報
の通信を行う。また、通信アダプタ２ｂは、ケーブルを介して室内機２ａに接続されてお
り、室内機２ａとの間においてケーブルを介して情報の通信を行う。ただし、室内機２ａ
と通信アダプタ２ｂは、無線により情報の通信を行ってもよい。
【００３３】
この通信アダプタ２ｂは、制御部を有しており、制御部には、通信アダプタ２ｂに係る
各種動作の制御プログラムやデータなどが格納されたＲＯＭ、通信アダプタ２ｂの各部の
動作を制御する信号を生成するために各種演算を実行するＣＰＵ、各種設定やＣＰＵでの
演算結果などのデータを一時保管するＲＡＭなどの部材が含まれている。これら各種部材
およびソフトウェアによって、図１に示すように、時間基準供給部２３が形成されている
。なお、この制御部は、通信部２２に接続されている。
【００３４】
時間基準供給部２３は、空気調和機２が使用する第１時間基準についての情報を管理サ
ーバ３に供給する。例えば、空気調和機２が日本に配置される場合、空気調和機２が使用
する第１時間基準が日本標準時（ＵＴＣ＋９）であることが管理サーバ３に供給される。
【００３５】
［管理サーバ］
管理サーバ３（サーバ）は、例えばネットワーク（インターネット）を介して空気調和
機２および端末装置４との間で情報の通信を行う通信部３１を有しており、空気調和機２
の通信アダプタ２ｂおよび端末装置４に情報を供給するとともに、空気調和機２の通信ア
ダプタ２ｂおよび端末装置４から供給された情報を受けることができる。この管理サーバ
３は、時間基準として所定の第２時間基準を使用している。この第２時間基準は、管理サ
ーバ３が配置される地域の時間基準と一致する。
【００３６】
この管理サーバ３は、制御部３２を有しており、制御部３２には、管理サーバ３に係る
各種動作の制御プログラムやデータなどが格納されたＲＯＭ、管理サーバ３の各部の動作
を制御する信号を生成するために各種演算を実行するＣＰＵ、各種設定やＣＰＵでの演算
結果などのデータを一時保管するＲＡＭなどの部材が含まれている。これら各種部材およ
びソフトウェアによって、図１に示すように、時間差分算出部３３、時刻情報第２変換部
３４、時刻情報供給部３５、時間基準供給部３６が形成されている。なお、この制御部３
２は、通信部３１に接続されている。
【００３７】
時間差分算出部３３は、時間基準供給部２３から受信した空気調和機２が使用する第１
時間基準と管理サーバ３が使用する第２時間基準との時間差分を算出する。ここで、空気
調和機２が使用する第１時間基準と管理サーバ３が使用する第２時間基準との時間差分に
は、空気調和機２が配置される地域と管理サーバ３が配置される地域との時差により生じ
る時間差分の他、サマータイムの有無により生じる時間差分が含まれる。例えば、空気調
和機２が配置される地域および管理サーバ３が配置される地域のいずれか一方がサマータ
イムを採用しており、かつ現在サマータイム実施期間である場合には、空気調和機２が使
用する第１時間基準と管理サーバ３が使用する第２時間基準との時間差分には、サマータ
イムにより生じる時間差分が含まれることとなる。したがって、空気調和機２が使用する
第１時間基準と管理サーバ３が使用する第２時間基準との間に時間差分が生じる場合とし
ては、サマータイムによる時間差分があり且つ時差がある場合、サマータイムによる時間
差分はないが時差がある場合、時差はないがサマータイムによる時間差分がある場合の３
つの場合がある。
【００３８】
時刻情報第２変換部３４は、時間差分算出部３３で算出された時間差分（空気調和機２
が使用する第１時間基準と管理サーバ３が使用する第２時間基準との時間差分）に基づい
て、端末装置４で設定され管理サーバ３に供給された時刻情報（管理サーバ３から空気調
和機２に供給される前の時刻情報）を、管理サーバ３が使用する第２時間基準に基づく時
刻情報から空気調和機２が使用する第１時間基準に基づく時刻情報に変換する。例えば空
気調和機２が使用する第１時間基準が、管理サーバ３が使用する第２時間基準に対して１
時間進んでいる場合、管理サーバ３から空気調和機２に供給される前の時刻情報を１時間
早い時刻情報に変換する。また、例えば空気調和機２が使用する第１時間基準が管理サー
バ３が使用する第２時間基準に対して１時間遅れている場合、管理サーバ３から空気調和
機２に供給される前の時刻情報を１時間遅い時刻情報に変換する。
【００３９】
時刻情報供給部３５は、時刻情報第２変換部３４で変換された時刻情報を空気調和機２
に供給する。なお、時間差分算出部３３で算出された時間差分がゼロである場合（空気調
和機２が使用する第１時間基準と管理サーバ３が使用する第２時間基準とが一致する場合
）は、管理サーバ３から空気調和機２に供給される前の時刻情報が、第２時間基準の時刻
情報であるのと同時に第１時間基準の時刻情報であるので、時刻情報供給部３５は、時刻
情報を変換することなくそのまま空気調和機２に供給する。時間基準供給部３６は、管理
サーバ３が使用する第２時間基準についての情報を端末装置４に供給する。
【００４０】
［端末装置］
端末装置４は、例えば携帯電話機（スマートフォン）、ＰＤＡ、パーソナルコンピュー
タなどの液晶端末である。この端末装置４は、例えばネットワーク（インターネット）を
介して管理サーバ３との間で情報の通信を行う通信部４０を有しており、管理サーバ３に
情報を供給するとともに、管理サーバ３から供給された情報を受けることができる。
【００４１】
この端末装置４は、表示画面１０と、表示画面１０に表示される内容を制御する制御部
４１とを有している。制御部４１には、端末装置４に係る各種動作の制御プログラムやデ
ータなどが格納されたＲＯＭ、端末装置４の各部の動作を制御する信号を生成するために
各種演算を実行するＣＰＵ、各種設定やＣＰＵでの演算結果などのデータを一時保管する
ＲＡＭなどの部材が含まれている。これら各種部材およびソフトウェアによって、図１に
示すように、地域設定部４２、サマータイム設定部４３、時間基準決定部４４、タイマ設
定部４５、時間差分算出部４６、時刻情報第１変換部４７、時刻情報供給部４８が形成さ
れている。この制御部４１は、通信部４０および表示画面１０に接続されている。
【００４２】
地域設定部４２は、端末装置４が使用される地域を設定する。地域設定部４２は、例え
ば、国毎に設定可能である。また、例えば１つの国に時差が異なる複数の地域がある場合
、または１つの国にサマータイムを採用する地域と採用しない地域がある場合は、その地
域毎に設定可能である。サマータイム設定部４３は、地域設定部４２で設定された地域が
サマータイムを採用する地域である場合に、現在サマータイム実施期間であるか否かを設
定する。この地域設定部４２およびサマータイム設定部４３は、例えば表示画面１０に表
示される操作部に触れることにより設定操作可能である。
【００４３】
時間基準決定部４４は、地域設定部４２で設定された地域およびサマータイム設定部４
３で設定されたサマータイム実施期間の有無に基づいて、端末装置４が使用する第３時間
基準を決定する。例えば、地域設定部４２で日本が設定された場合、端末装置４が使用す
る第３時間基準は、日本標準時（協定世界時（ＵＴＣ）より９時間進んだ時間基準（ＵＴ
Ｃ＋９））となる。
【００４４】
タイマ設定部４５は、空気調和機２が有するタイマ機能（入タイマ、切タイマなど）と
、タイマ設定時刻を設定する。このタイマ設定部４５は、例えば表示画面１０に表示され
る操作部に触れることにより設定操作可能である。このタイマ設定部４５によって設定さ
れたタイマ設定時刻についての時刻情報は、端末装置４が使用する第３時間基準に基づく
時刻情報となる。したがって、ユーザは、端末装置４が使用する第３時間基準と空気調和
機２が使用する第１時間基準とが異なる場合には、第３時間基準と第１時間基準との時間
差分を考慮して、タイマ設定時刻を設定する必要がある。例えば、端末装置４が使用する
第３時間基準が、空気調和機２が使用する第１時間基準に対して２時間進んでいる場合に
おいて、ユーザが端末装置４から空気調和機２を第１時間基準におけるＡＭ６：００にタ
イマ設定したい場合、ユーザは、端末装置４のタイマ設定時刻を第３時間基準のＡＭ８：
００に設定する必要がある。
【００４５】
時間差分算出部４６は、時間基準決定部４４で決定された第３時間基準についての情報
および時間基準供給部３６から受信した第２時間基準についての情報に基づいて、端末装
置４が使用する第３時間基準と管理サーバ３が使用する第２時間基準との時間差分を算出
する。ここで、端末装置４が使用する第３時間基準と管理サーバ３が使用する第２時間基
準との時間差分には、端末装置４が配置される地域と管理サーバ３が配置される地域との
時差により生じる時間差分の他、サマータイムの有無により生じる時間差分が含まれる。
例えば、端末装置４が配置される地域および管理サーバ３が配置される地域のいずれか一
方がサマータイム採用地域であり、かつ現在サマータイム実施期間である場合、第３時間
基準と第２時間基準との時間差分には、サマータイムにより生じる時間差分が含まれるこ
ととなる。したがって、端末装置４が使用する第３時間基準と管理サーバ３が使用する第
２時間基準との間に時間差分が生じる場合としては、サマータイムによる時間差分があり
且つ時差がある場合、サマータイムによる時間差分はないが時差がある場合、時差はない
がサマータイムによる時間差分がある場合の３つの場合がある。
【００４６】
時刻情報第１変換部４７は、時間差分算出部４６で算出された時間差分（端末装置４が
使用する第３時間基準と管理サーバ３が使用する第２時間基準との時間差分）に基づいて
、タイマ設定部４５で設定されたタイマ設定時刻についての時刻情報（端末装置４から管
理サーバ３に供給される前の時刻情報）を、端末装置４が使用する第３時間基準に基づく
時刻情報から管理サーバ３が使用する第２時間基準に基づく時刻情報に変換する。時刻情
報供給部４８は、時刻情報第１変換部４７で変換された時刻情報を管理サーバ３に供給す
る。なお、時間差分算出部４６で算出された時間差分がゼロである場合（端末装置４が使
用する第３時間基準と管理サーバ３が使用する第２時間基準とが一致する場合）は、端末
装置４から管理サーバ３に供給される前の時刻情報が、第３時間基準の時刻情報であるの
と同時に第２時間基準の時刻情報であるので、時刻情報供給部４８は、時刻情報を変換す
ることなくそのまま管理サーバ３に供給する。
【００４７】
［フロー］
次に、図２を参照して時刻情報供給システム１の時刻情報供給動作について説明する。
以下のフローでは、予め端末装置４が使用する第３時間基準が決まっているものとする。
また、空気調和機２が使用する第１時間基準と管理サーバ３が使用する第２時間基準とが
異なり、かつ端末装置４が使用する第３時間基準と管理サーバ３が使用する第２時間基準
とが異なるものとする。
【００４８】
まず、端末装置４で空気調和機２のタイマ設定時刻についての時刻情報が設定されたか
否かを判断し（Ｓ１）、時刻情報が設定されるまでそれを繰り返す。時刻情報が設定され
た場合（Ｓ１：Ｙｅｓ）、設定された時刻情報（端末装置４から管理サーバ３に供給され
る前の時刻情報）を端末装置４が使用する第３時間基準に基づく時刻情報から管理サーバ
３が使用する第２時間基準に基づく時刻情報に変換する（Ｓ２）。そして、変換された時
刻情報を管理サーバ３に供給する（Ｓ３）。次に、端末装置４から管理サーバ３に供給さ
れた時刻情報（管理サーバ３から空気調和機２に供給される前の時刻情報）を管理サーバ
３が使用する第２時間基準に基づく時刻情報から空気調和機２が使用する第１時間基準に
基づく時刻情報に変換する（Ｓ４）。そして、変換された時刻情報を空気調和機２に供給
する（Ｓ５）。最後に、空気調和機２に供給された時刻情報（第２時間基準から第１時間
基準に変換された時刻情報）に基づいて空気調和機２を制御（タイマ制御）する（Ｓ６）
。
【００４９】
［実施例］
次に、図３を参照して時刻情報供給システム１の時刻情報供給動作の一実施例について
説明する。例えば、Ａ国に空気調和機２が配置され、Ｂ国に管理サーバ３が配置され、Ｃ
国にユーザが存在する（端末装置４が配置される）場合において、Ｃ国にいるユーザがＡ
国にある空気調和機２の入タイマを設定する場合について考える。ここで、空気調和機２
が使用する第１時間基準は、協定世界時より１時間遅れた時間基準（ＵＴＣ−１）である
とし、管理サーバ３が使用する第２時間基準は、協定世界時と一致する時間基準（ＵＴＣ
±０）であるとし、端末装置４が使用する第３時間基準は、協定世界時より１時間進んだ
時間基準（ＵＴＣ＋１）であるとする。
【００５０】
まず、ユーザは、端末装置４で空気調和機２のタイマ設定時刻を設定する。この場合に
おいて、端末装置４が使用する第３時間基準と空気調和機２が使用する第１時間基準とが
異なるので、ユーザは、端末装置４が使用する第３時間基準と空気調和機２が使用する第
１時間基準との時間差分を考慮して、タイマ設定時刻を設定する必要がある。例えば、本
実施例では、端末装置４が使用する第３時間基準が、空気調和機２が使用する第１時間基
準に対して２時間進んでいるため、例えばユーザが空気調和機２をＡ国時間のＡＭ６：０
０に運転開始したい場合、ユーザは、端末装置４において、空気調和機２のタイマ設定時
刻をＡＭ８：００に設定する。
【００５１】
端末装置４でタイマ設定時刻が設定されると、端末装置４が使用する第３時間基準と管
理サーバ３が使用する第２時間基準との時間差分に基づいて、端末装置４から管理サーバ
３に供給される前の時刻情報が、第３時間基準の時刻情報「ＡＭ８：００」から第２時間
基準の時刻情報「ＡＭ７：００」に変換され、管理サーバ３に供給される。次に、管理サ
ーバ３が使用する第２時間基準と空気調和機２が使用する第１時間基準との時間差分に基
づいて、管理サーバ３から空気調和機２に供給される前の時刻情報が、第２時間基準の時
刻情報「ＡＭ７：００」から第１時間基準の時刻情報「ＡＭ６：００」に変換され、空気
調和機２に供給される。そして、第２時間基準から第１時間基準に変換された時刻情報「
ＡＭ６：００」に基づいて空気調和機２が制御（タイマ制御）される。すなわち、Ａ国時
間のＡＭ６：００になったときに空気調和機２の運転が開始される。したがって、端末装
置４から管理サーバ３に供給される前の時刻情報が、管理サーバ３が使用する時間基準に
対してずれたものとなることが防止される。また、管理サーバ３から空気調和機２に供給
される前の時刻情報が、空気調和機２が使用する時間基準に対してずれたものとなること
が防止される。したがって、例えば管理サーバ３から空気調和機２に供給された時刻情報
に基づいて空気調和機２が制御（タイマ制御）される場合において、ユーザが端末装置４
で設定したタイマ設定時刻とは異なるタイミングで空気調和機２が制御（タイマ制御）さ
れることが防止される。
【００５２】
＜本実施形態の時刻情報供給システムの特徴＞
本実施形態の時刻情報供給システム１では、空気調和機２（機器）が使用する第１時間
基準と管理サーバ３（サーバ）が使用する第２時間基準とが異なる場合に、管理サーバ３
から空気調和機２に供給される前の時刻情報が、管理サーバ３が使用する第２時間基準か
ら空気調和機２が使用する第１時間基準に変換されるので、管理サーバ３から空気調和機
２に供給された時刻情報が、空気調和機２が使用する時間基準に対してずれたものとなる
のを防止できる。
【００５３】
また、本実施形態の時刻情報供給システム１では、端末装置４が使用する第３時間基準
と管理サーバ３（サーバ）が使用する第２時間基準とが異なる場合に、端末装置４から管
理サーバ３に供給される前の時刻情報が、端末装置４が使用する第３時間基準から管理サ
ーバ３が使用する第２時間基準に変換されるので、端末装置４から管理サーバ３に供給さ
れた時刻情報が、管理サーバ３が使用する時間基準に対してずれたものとなるのを防止で
きる。
したがって、例えば管理サーバ３から空気調和機２に供給された時刻情報に基づいて空
気調和機２が制御（タイマ制御）される場合において、ユーザが端末装置４で設定した時
刻とは異なるタイミングで空気調和機２が制御（タイマ制御）されることを防止できる。
【００５４】
また、本実施形態の時刻情報供給システム１では、端末装置４が使用する時間基準と管
理サーバ３（サーバ）が使用する時間基準との時間差分には、サマータイムの有無により
生じる時間差分が含まれるので、端末装置４から管理サーバ３に供給された時刻情報が、
サマータイムの有無により生じる時間差分だけ管理サーバ３が使用する時間基準に対して
ずれたものとなるのを防止できる。
【００５５】
また、本実施形態の時刻情報供給システム１では、空気調和機２（機器）が使用する時
間基準と管理サーバ３（サーバ）が使用する時間基準との時間差分には、サマータイムの
有無により生じる時間差分が含まれるので、管理サーバ３から空気調和機２に供給された
時刻情報が、サマータイムの有無により生じる時間差分だけ空気調和機２が使用する時間
基準に対してずれたものとなるのを防止できる。
【００５６】
また、本実施形態の時刻情報供給システム１では、端末装置４で設定された時刻情報が
、空気調和機２（機器）のタイマ設定時刻についての時刻情報である場合において、管理
サーバ３（サーバ）から空気調和機２に供給される時刻情報が、空気調和機２が使用する
時間基準に対してずれたものとなるのを防止できる。
【００５７】
また、本実施形態の時刻情報供給システム１では、管理サーバ３（サーバ）が使用する
時間基準から空気調和機２（機器）が使用する時間基準に変換された時刻情報に基づいて
、空気調和機２が制御されるので、空気調和機２が使用する時間基準に対してずれた時刻
情報に基づいて空気調和機２が制御されるのを防止できる。
【００５８】
以上、本発明の実施形態について図面に基づいて説明したが、具体的な構成は、これら
の実施形態に限定されるものでないと考えられるべきである。本発明の範囲は、上記した
実施形態の説明ではなく特許請求の範囲によって示され、さらに特許請求の範囲と均等の
意味及び範囲内でのすべての変更が含まれる。
【００５９】
［変形例］
次に図４及び図５を参照して変形例に係る時刻情報供給システムについて説明する。上
記実施形態に係る時刻情報供給システム１では、図３に示すように、例えば、Ａ国に空気
調和機２が配置され、Ｂ国に管理サーバ３が配置され、Ｃ国にユーザが存在する（端末装
置４が配置される）場合において、Ｃ国にいるユーザがＡ国にある空気調和機２の入タイ
マを設定する場合を考えたときに、端末装置４が使用する第３時間基準と空気調和機２が
使用する第１時間基準とが異なるので、ユーザは、第３時間基準と第１時間基準との時間
差分を自ら算出・考慮して、タイマ設定時刻を設定する必要がある。そのため、タイマ設
定時刻の設定が煩雑となるおそれがある。そこで、本変形例に係る時刻情報供給システム
は、上記に鑑み、端末装置４が使用する第３時間基準と空気調和機２が使用する第１時間
基準とが異なる場合に、第３時間基準と第１時間基準との時間差分に基づいて、端末装置
１０４で設定されたタイマ設定時刻についての時刻情報を端末装置１０４が使用する第３
時間基準に基づく時刻情報に変換する機能を有し、ユーザが第３時間基準と第１時間基準
との時間差分を自ら算出・考慮して、タイマ設定時刻を設定しなくて済むようにしてある
。
【００６０】
この時刻情報供給システムは、図４に示すように、端末装置１０４の制御部１４１が、
端末装置１０４で設定されたタイマ設定時刻についての時刻情報を端末装置１０４が使用
する第３時間基準に基づく時刻情報に変換する時刻情報第３変換部１４９をさらに有する
点、時刻情報第１変換部１４７が、時刻情報第３変換部１４９で変換された時刻情報を管
理サーバ３が使用する第２時間基準に基づく時刻情報に変換する点で、上記実施形態と異
なる。なお、本変形例において、上記実施形態と同様の構成を有するものについては、同
じ符号を付してその説明を適宜省略する。
【００６１】
この時刻情報第３変換部１４９は、詳しくは、時間基準供給部２３から管理サーバ３を
介して受信した空気調和機２が使用する第１時間基準と、端末装置１０４が使用する第３
時間基準との時間差分を算出するとともに、算出した時間差分に基づいて、タイマ設定部
４５で設定されたタイマ設定時刻についての時刻情報を、第３時間基準に基づく時刻情報
に変換する。
【００６２】
（実施例）
次に、図５を参照して時刻情報供給システムの時刻情報供給動作の一実施例について説
明する。例えば、Ａ国に空気調和機２が配置され、Ｂ国に管理サーバ３が配置され、Ｃ国
にユーザが存在する（端末装置１０４が配置される）場合において、Ｃ国にいるユーザが
Ａ国にある空気調和機２の入タイマを設定する場合について考える。ここで、空気調和機
２が使用する第１時間基準は、協定世界時より１時間遅れた時間基準（ＵＴＣ−１）であ
るとし、管理サーバ３が使用する第２時間基準は、協定世界時と一致する時間基準（ＵＴ
Ｃ±０）であるとし、端末装置１０４が使用する第３時間基準は、協定世界時より１時間
進んだ時間基準（ＵＴＣ＋１）であるとする。
【００６３】
まず、ユーザは、端末装置１０４で空気調和機２のタイマ設定時刻を設定する。上記実
施形態では、図３に示すように、端末装置４が使用する第３時間基準と空気調和機２が使
用する第１時間基準とが異なるので、ユーザは、第３時間基準と第１時間基準との時間差
分を自ら算出・考慮して、タイマ設定時刻を設定する必要があるが、この変形例では、図
５に示すように、ユーザは、Ａ国時間のタイマ設定時刻を設定すればよい。例えば、ユー
ザが空気調和機２をＡ国時間のＡＭ６：００に運転開始したい場合、ユーザは、端末装置
１０４において、空気調和機２のタイマ設定時刻を、ＡＭ６：００に設定する。
【００６４】
端末装置１０４でタイマ設定時刻が設定されると、端末装置１０４が使用する第３時間
基準と空気調和機２が使用する第１時間基準との時間差分に基づいて、ユーザが設定した
時刻情報「ＡＭ６：００」が、第３時間基準の時刻情報「ＡＭ８：００」に変換され、こ
の第３時間基準の時刻情報「ＡＭ８：００」が、端末装置１０４の内部管理時間として端
末装置１０４に記憶される。
【００６５】
そして、端末装置１０４が使用する第３時間基準と管理サーバ３が使用する第２時間基
準との時間差分に基づいて、端末装置１０４から管理サーバ３に供給される前の時刻情報
が、端末装置１０４の内部管理時間「ＡＭ８：００」から第２時間基準の時刻情報「ＡＭ
７：００」に変換され、管理サーバ３に供給される。次に、管理サーバ３が使用する第２
時間基準と空気調和機２が使用する第１時間基準との時間差分に基づいて、管理サーバ３
から空気調和機２に供給される前の時刻情報が、第２時間基準の時刻情報「ＡＭ７：００
」から第１時間基準の時刻情報「ＡＭ６：００」に変換され、空気調和機２に供給される
。そして、第２時間基準から第１時間基準に変換された時刻情報「ＡＭ６：００」に基づ
いて空気調和機２が制御（タイマ制御）される。すなわち、Ａ国時間のＡＭ６：００にな
ったときに空気調和機２の運転が開始される。
【００６６】
＜本変形例の時刻情報供給システムの特徴＞
本変形例の時刻情報供給システムでは、空気調和機２（機器）が使用する第１時間基準
と管理サーバ３（サーバ）が使用する第２時間基準とが異なる場合に、端末装置１０４で
設定された時刻情報が第３時間基準に基づく時刻情報に変換されるので、ユーザは端末装
置１０４で設定するタイマ設定時刻を空気調和機２が使用する第１時間基準に基づいて設
定できる。したがって、ユーザが、端末装置１０４が使用する第３時間基準と空気調和機
２が使用する第１時間基準との時間差分を自ら算出・考慮して、タイマ設定時刻を設定し
なくて済む。
【００６７】
［その他変形例］
上述の実施形態では、管理サーバ３（サーバ）が、時刻情報第２変換部３４を有し、空
気調和機２（機器）が使用する第１時間基準と管理サーバ３が使用する第２時間基準とが
異なる場合に、管理サーバ３から空気調和機２に供給される前の時刻情報が第２時間基準
から第１時間基準に変換される場合について説明したが、空気調和機２（例えば室内機２
ａの制御部または通信アダプタ２ｂの制御部）が、時刻情報第２変換部を有し、管理サー
バ３から空気調和機２に供給された後の時刻情報が第２時間基準から第１時間基準に変換
されてもよい。
【００６８】
本変形例の時刻情報供給システム１では、空気調和機２が使用する第１時間基準と管理
サーバ３（サーバ）が使用する第２時間基準とが異なる場合に、管理サーバ３から空気調
和機２に供給された後の時刻情報が、第２時間基準から第１時間基準に変換されるので、
管理サーバ３から空気調和機２に供給された時刻情報が、空気調和機２が使用する時間基
準に対してずれたものとなるのを防止できる。
【００６９】
また、上述の実施形態では、端末装置４が、時刻情報第１変換部４７を有し、端末装置
４が使用する第３時間基準と管理サーバ３（サーバ）が使用する第２時間基準とが異なる
場合に、端末装置４から管理サーバ３に供給される前の時刻情報が第３時間基準から第２
時間基準に変換される場合について説明したが、管理サーバ３が、時刻情報第１変換部を
有し、端末装置４から管理サーバ３に供給された後の時刻情報が第３時間基準から第２時
間基準に変換されもよい。
【００７０】
本変形例の時刻情報供給システム１では、端末装置４が使用する第３時間基準と管理サ
ーバ３（サーバ）が使用する第２時間基準とが異なる場合に、端末装置４から管理サーバ
３に供給された後の時刻情報が、第３時間基準から第２時間基準に変換されるので、端末
装置４から管理サーバ３に供給された時刻情報が、管理サーバ３が使用する時間基準に対
してずれたものとなるのを防止できる。
【００７１】
また、上述の実施形態では、フロー及び一実施例として、空気調和機２（機器）が使用
する第１時間基準と管理サーバ３（サーバ）が使用する第２時間基準が異なり、かつ端末
装置４が使用する第３時間基準と管理サーバ３が使用する第２時間基準とが異なる場合に
ついて説明したが、端末装置４が使用する第３時間基準と管理サーバ３が使用する第２時
間基準とが異なるが、空気調和機２（機器）が使用する第１時間基準と管理サーバ３（サ
ーバ）が使用する第２時間基準とが一致してもよい。この場合、端末装置４から管理サー
バ３に供給される時刻情報は、第３時間基準から第２時間基準に変換される。一方、管理
サーバ３から空気調和機２に供給される時刻情報は、第２時間基準の時刻情報であるのと
同時に第１時間基準の時刻情報であるので、時刻情報が変換されることなくそのまま空気
調和機２に供給される。
【００７２】
また、上述の実施形態では、フロー及び一実施例として、空気調和機２（機器）が使用
する第１時間基準と管理サーバ３（サーバ）が使用する第２時間基準が異なり、かつ端末
装置４が使用する第３時間基準と管理サーバ３が使用する第２時間基準とが異なる場合に
ついて説明したが、空気調和機２が使用する第１時間基準と管理サーバ３が使用する第２
時間基準とが異なるが、端末装置４が使用する第３時間基準と管理サーバ３が使用する第
２時間基準とが一致してもよい。この場合、端末装置４から管理サーバ３に供給される時
刻情報は、第３時間基準の時刻情報であるのと同時に第２時間基準の時刻情報であるので
、時刻情報が変換されることなくそのまま管理サーバ３に供給される。一方、管理サーバ
３から空気調和機２に供給される時刻情報は、第２時間基準から第１時間基準に変換され
る。
【００７３】
また、上記の実施形態では、時刻情報供給動作（フロー）として、空気調和機２（機器
）が使用する第１時間基準と、管理サーバ３（サーバ）が使用する第２時間基準と、端末
装置４が使用する第３時間基準とが互いに異なる場合の時刻情報供給動作について説明し
たが、空気調和機２（機器）が使用する第１時間基準と端末装置４が使用する第３時間基
準とが一致し、管理サーバ３が使用する第２時間基準だけが他と異なる場合においても、
時刻情報供給動作は、上記時刻情報供給動作（フロー）と同じである。なお、その場合に
おいては、端末装置４で設定されたタイマ設定時刻についての時刻情報と、第１時間基準
に変換された時刻情報とが一致することとなるので、ユーザは、端末装置４が使用する第
３時間基準と空気調和機２が使用する第１時間基準との時間差分を考慮してタイマ設定時
刻を設定しなくてよい。
【００７４】
また、上述の実施形態では、空気調和機２（機器）が使用する第１時間基準と管理サー
バ３（サーバ）が使用する第２時間基準との時間差分に、サマータイムの有無により生じ
る時間差分が含まれる場合において説明したが、第１時間基準と第２時間基準との時間差
分に、サマータイムの有無により生じる時間差分が含まれなくてもよい。
【００７５】
また、上述の実施形態では、端末装置４が使用する第３時間基準と管理サーバ３（サー
バ）が使用する第２時間基準との時間差分に、サマータイムの有無により生じる時間差分
が含まれる場合において説明したが、第３時間基準と第２時間基準との時間差分に、サマ
ータイムの有無により生じる時間差分が含まれなくてもよい。
【００７６】
また、上述の実施形態では、端末装置４で設定された時刻情報が、空気調和機２（機器
）のタイマ設定時刻についての時刻情報である場合について説明したが、端末装置４で設
定された時刻情報は、空気調和機２のタイマ設定時刻についての時刻情報に限られない。
したがって、例えば、端末装置４で設定された時刻情報が、空気調和機２（機器）の初期
設定における時刻設定についての時刻情報であってもよい。
【００７７】
また、上述の実施形態では、管理サーバ３（サーバ）が使用する第２時間基準から空気
調和機２（機器）が使用する第１時間基準に変換された時刻情報に基づいて、空気調和機
２が制御される例として、タイマ設定についての時刻情報に基づいて空気調和機２がタイ
マ制御される場合について説明したが、タイマ設定についての時刻情報以外の時刻情報に
基づいて、空気調和機２が制御されてもよい。
【００７８】
また、上述の実施形態では、時間基準決定部４４が、地域設定部４２で設定された地域
およびサマータイム設定部４３で設定されたサマータイムの有無に基づいて、端末装置４
が使用する第３時間基準を決定する場合について説明したが、時間基準決定部による第３
時間基準の決定方法は上記に限られない。例えば時間基準決定部は、ＧＰＳ衛星からの信
号を取得することによって割り出された端末装置４の現在位置情報から、当該現在位置に
該当する地域の時間基準についての情報を取得することにより、第３時間基準を決定して
もよい。
【００７９】
また、上述の実施形態では、空気調和機２が、本発明における機器に対応する場合につ
いて説明したが、本発明における機器は、空気調和機２に限定されるものではない。例え
ば、空気清浄機や、加湿機や、除湿機であってもよいし、給湯器や床暖房機器を含む温水
機器であってもよいし、暖房機器であってもよいし、油圧機器や、空圧機器や、水圧機器
であってもよい。
【産業上の利用可能性】
【００８０】
本発明を利用すれば、サーバから機器に供給される時刻情報が、機器が使用する時間基
準に対してずれたものとなるのを防止できる。
【符号の説明】
【００８１】
１  時刻情報供給システム
２  空気調和機（機器）
３  管理サーバ（サーバ）
４、１０４  端末装置